(57)【要約】【課題】構築が比較的簡便でありながら輻射による冷房又は暖房を行うことができる冷暖房システムを提供すること。【解決手段】冷暖房システム１は、冷房又は暖房が行われる冷暖房室Ｒに面する板状の仕上層１１と、仕上層１１に冷暖房室Ｒの裏側から面同士で接触する板状の裏側層１２であって、仕上層１１に接する面に線状の中間溝１４が間隔を空けて複数形成された裏側層１２と、中間溝１４に温度が調節された空気ＳＡを供給する空気供給手段２１、１６Ａとを備える。温度が調節された空気ＳＡが中間溝１４を流れることで仕上層１１を冷却又は温めて、冷暖房室Ｒの輻射冷暖房を行う。【選択図】図１
2010107117.tif 000002
【特許請求の範囲】
【請求項１】
冷房又は暖房が行われる冷暖房室に面する板状の仕上層と；
前記仕上層に前記冷暖房室の裏側から面同士で接触する板状の裏側層であって、前記仕上層に接する面に線状の中間溝が間隔を空けて複数形成された裏側層と；
前記中間溝に温度が調節された空気を供給する空気供給手段とを備える；
冷暖房システム。
【請求項２】
前記裏側層が、前記仕上層と接する板状の中間層と、前記仕上層との間に前記中間層を挟むように前記中間層に面同士で接触する板状の支持層とを含んで構成され；
前記中間層が、所定の大きさに形成された板状の中間板が複数配列されて構成され；
複数の前記中間板の間に隙間を空けて前記中間板が配列されることにより、前記中間板の間の隙間が前記中間溝として形成されるように構成された；
請求項１に記載の冷暖房システム。
【請求項３】
前記支持層が、所定の大きさに形成された板状の支持板が複数配列されて構成され、かつ、前記中間溝と交差する方向に伸びる線状の裏側溝が形成されるように複数の前記支持板の間に隙間を空けて前記支持板が配列されて構成され；
前記空気供給手段が、矩形のシート状の部材が筒状に変形されたシートダクトであって、前記シートダクトの一辺が前記裏側溝の一方に隣接する前記支持板と前記中間板とに挟まれ、前記シートダクトの前記一辺に対向する対向辺が前記裏側溝の他方に隣接する前記支持板と前記中間板とに挟まれたシートダクトと、前記シートダクトの内部に連通する前記裏側溝とを含んで構成された；
請求項２に記載の冷暖房システム。
【発明の詳細な説明】
【技術分野】
【０００１】
本発明は冷暖房システムに関し、特に輻射による冷房又は暖房を行うための冷暖房システムに関する。
【背景技術】
【０００２】
近年、省エネルギーと快適性とを両立する冷暖房方式として、輻射熱で冷暖房を行う輻射冷暖房システムが注目されている。輻射冷暖房システムは、天井面や床面等を、冷房時は冷やし暖房時は温めて、冷却又は加熱した天井面や床面等からの輻射熱により冷暖房室の温度を調整するシステムである。輻射熱による冷暖房は、室内に極端な温度ムラが生じないため快適であると共に、天井面や床面等を冷却又は加熱するのに必要な熱量がいわゆる対流方式の冷暖房システムに比べて少ない。このため、輻射冷暖房システムは、より省エネルギーなシステムと言える。
【０００３】
輻射冷暖房システムの一例として、床下地ボードの下面に冷風や温風の熱媒体を衝突させて放射状に拡散させ、床仕上材を効率よく冷却又は加熱して、床仕上材から生じる冷輻射や温輻射熱の効果を高めて、床輻射冷暖房を行うものがある。この輻射空調システムでは、コンクリートスラブと床下地ボードとの間の床下送気空間に、床下地ボードに対して水平方向に熱媒体を流し、床下送気空間に複数設置された気流方向変換器で水平方向の流れを垂直方向の流れに変換して、熱媒体を床下地ボードの下面に衝突させて床仕上材を冷却又は加熱して床輻射冷暖房を行っていた（例えば特許文献１参照）。
【特許文献１】特開２００４−１３２６８０号公報（図１等）
【発明の開示】
【発明が解決しようとする課題】
【０００４】
上述の輻射冷暖房システムによれば良好な輻射効果を得られるが、地球環境保全意識が向上してきていると共に使用者のニーズが多様化してきている現在では、さまざまなバリエーションの省エネルギーに資するシステムを提供することは、システム選択の幅を広め、より使用者のニーズに適うこととなる。
【０００５】
本発明は上述の課題に鑑み、構築が比較的簡便でありながら輻射による冷房又は暖房を行うことができる冷暖房システムを提供することを目的とする。
【課題を解決するための手段】
【０００６】
上記目的を達成するために、本発明の第１の態様に係る冷暖房システムは、例えば図１に示すように、冷房又は暖房が行われる冷暖房室Ｒに面する板状の仕上層１１と；仕上層１１に冷暖房室Ｒの裏側から面同士で接触する板状の裏側層１２であって、仕上層１１に接する面に線状の中間溝１４が間隔を空けて複数形成された裏側層１２と；中間溝１４に温度が調節された空気ＳＡを供給する空気供給手段２１、１６Ａとを備える。
【０００７】
このように構成すると、温度が調節された空気が裏側層の仕上層に接する面に形成された中間溝を流れることで仕上層を冷却又は温めることが可能になり、建材が空気を拡散させる部材を兼ねることとなるので、比較的少ない部材数及び工数で仕上層の全体をムラが少なく効率的に冷却又は温めることができる。
【０００８】
また、本発明の第２の態様に係る冷暖房システムは、例えば図１に示すように、上記本発明の第１の態様に係る冷暖房システム１において、裏側層１２が、仕上層１１と接する板状の中間層１３と、仕上層１１との間に中間層１３を挟むように中間層１３に面同士で接触する板状の支持層１５とを含んで構成され；中間層が、所定の大きさに形成された板状の中間板１３が複数配列されて構成され；複数の中間板１３の間に隙間を空けて中間板１３が配列されることにより、中間板１３の間の隙間が中間溝１４として形成されるように構成されている。
【０００９】
このように構成すると、中間層と支持層との組み合わせで中間溝を形成することができ、裏側層を特別に加工して製作することなく汎用の建材（市場に流通している建材）を用いて簡便に裏側層を形成することができる。
【００１０】
また、本発明の第３の態様に係る冷暖房システムは、例えば図１に示すように、上記本発明の第２の態様に係る冷暖房システム１において、支持層が、所定の大きさに形成された板状の支持板１５が複数配列されて構成され、かつ、中間溝１４と交差する方向に伸びる線状の裏側溝１６が形成されるように複数の支持板１５の間に隙間を空けて支持板１５が配列されて構成され；空気供給手段が、矩形のシート状の部材が筒状に変形されたシートダクト２１であって、シートダクト２１の一辺が裏側溝１６Ａの一方に隣接する支持板１５と中間板１３とに挟まれ、シートダクト２１の前記一辺に対向する対向辺が裏側溝１６Ａの他方に隣接する支持板１５と中間板１３とに挟まれたシートダクト２１と、シートダクト２１の内部に連通する裏側溝１６Ａとを含んで構成されている。
【００１１】
このように構成すると、空気供給手段が矩形のシート状の部材が筒状に変形されたシートダクトであるので、裏側層の裏側の空間が小さい場合でも収めやすくなる。また、シートダクトの対向する両辺が支持板と中間板とに挟まれるので、裏側層へのシートダクトの取り付けが簡便になり、施工性を向上させることができる。
【発明の効果】
【００１２】
本発明によれば、温度が調節された空気が裏側層の仕上層に接する面に形成された中間溝を流れることで仕上層を冷却又は温めることが可能になり、建材が空気を拡散させる部材を兼ねることとなるので、比較的少ない部材数及び工数で仕上層の全体をムラが少なく効率的に冷却又は温めることができる。
【発明を実施するための最良の形態】
【００１３】
以下、図面を参照して本発明の実施の形態について説明する。なお、各図において互いに同一又は相当する部材には同一あるいは類似の符号を付し、重複した説明は省略する。
【００１４】
まず図１を参照して、本発明の実施の形態に係る冷暖房システム１を説明する。図１は、冷暖房システム１の構成を説明する部分斜視図である。本実施の形態に係る冷暖房システム１は、冷房又は暖房（以下「冷暖房」という。）が行われる対象の冷暖房室Ｒの床１１を冷やし又は温めて、冷やし又は温めた床１１の輻射熱により冷暖房を行うシステムである。冷暖房システム１は、仕上層を構成する仕上材１１と、中間層を構成する中間板１３と、支持層を構成する支持板１５と、空気供給手段を構成するシートダクト２１とを備えている。なお、中間層と支持層とで裏側層１２を構成している。
【００１５】
図２（ａ）には、冷暖房室Ｒの床面の仕上材１１（図１参照）を剥がしたときに現れる中間板１３の配列を示しており、図２（ｂ）には、さらに中間板１３を剥がしたときに現れる支持板１５の配列を示している。中間板１３は、矩形の板状に形成されている。中間板１３は、複数が支持板１５の上に敷かれている。各中間板１３は、端部に設置されるものを除いて同じ大きさのものが敷設されている。図２（ａ）中では横方向に隣り合う中間板１３の間に隙間が形成されるように、各中間板１３が支持板１５の上に敷かれている。支持板１５は、中間板１３よりも大きい矩形の板状に形成されている。支持板１５は、複数が支持脚１８を介してスラブ上に配設されている。支持板１５は、端部に設置されるものを除いて同じ大きさのものが配設されている。図２（ｂ）中では縦方向に隣り合う支持板１５の間に隙間が形成されるように、各支持板１５が配設されている。以下の冷暖房システム１の構成の説明では、図１に加えて図２も適宜参照することとする。
【００１６】
仕上材１１は、その表面が冷暖房室Ｒの床一面に現れるように敷設されている。本実施の形態では、仕上材１１は、厚さ約１２ｍｍの板状の木質系の床材（フローリング）であるが、例えばＰタイル等の他の床材であってもよい。仕上材１１は、熱伝導率が比較的高い原料で製造されているものが好ましく、また温度変化による割れや反りなどの損傷が発生しにくいものが好ましく、例えば広葉樹を原料として製造されているものがよい。仕上材１１の冷暖房室Ｒに現れる表面は、温度を変えることができるように構成されている。
【００１７】
中間板１３は、標準的には厚さ約５〜１２ｍｍ程度の板状の部材であるが、本実施の形態では厚さ約９ｍｍの合板を用いている。中間板１３は、上述のように、隣り合う中間板１３の間に隙間が形成されるよう敷設され、この隙間が中間溝１４となる。敷設された中間板１３全体の上に仕上材１１が、中間溝１４をも覆うように敷設されている。このとき、中間板１３と仕上材１１とは面で接触するように構成されている。そして、形成された中間溝１４を、温度が調節された温調空気ＳＡが流れることで、仕上材１１の温度を変えることができる。そして、仕上材１１の表面をできるだけ均一に冷却又は加温できるようにすることと、仕上材１１を支えることとのバランスを考慮して、中間溝１４を形成する間隔、ひいては中間板１３の大きさを決定するとよい。
【００１８】
支持板１５は、典型的には、厚さ約２０ｍｍのパーティクルボードが用いられるが、スチールの板状部材が用いられてもよい。支持板１５は、上述のように、隣り合う支持板１５の間に隙間が形成されるよう敷設され、この隙間が裏側溝１６となる。敷設された支持板１５の上に中間板１３が、裏側溝１６と中間溝１４とが交差するように敷設される。このとき、支持板１５と中間板１３とは面で接触するように構成されている。中間溝１４と裏側溝１６とが交差する角度は、典型的には９０°であるが、冷暖房室Ｒの形状や用いられる中間板１３及び支持板１５の特性を考慮して、９０°以外の角度（例えば鋭角となる部分が７５°や６０°や４５°等）としてもよい。裏側溝１６は、中間溝１４に温調空気ＳＡを供給する供給裏側溝１６Ａと、中間溝１４を流れた温調空気ＳＡを受け入れる回収裏側溝１６Ｂとが、交互に形成されている。
【００１９】
図３（ａ）の立断面図にも示すように、支持板１５は、中間板１３に接する面とは反対側の面に支持脚１８が取り付けられており、支持脚１８を介してスラブＳＬ上に敷設されている。これにより、支持板１５とスラブＳＬとの間には、シートダクト２１を敷設する床下空間ＳＰが形成されている。支持脚１８は、支持板１５に釘や木ビスで取り付けられるボード受１８ａと、ボード受１８ａに長さ調節可能に螺合される支持ボルト１８ｂと、支持ボルト１８ｂの端部に嵌合されてスラブＳＬ上に載置されるクッションゴム１８ｃとを含んで構成されている。支持脚１８は、典型的には、１枚の支持板１５が５点支持あるいは６点支持されるように設けられている。
【００２０】
図３（ｂ）の斜視図にも示すように、シートダクト２１は、矩形のシート状の部材が筒状に丸められ、丸められたシート状の部材の対向する両辺が断面コの字状（コの字の先端が広がっているものも含む）に折り曲げられて鍔部１２ｆが形成されている。両鍔部１２ｆは、先端が外側を向き、シートダクト２１の軸直角方向断面の中心を通る線対称に形成されている。鍔部１２ｆの断面コの字状の窪みは、支持板１５を厚さ方向で挟むことができる寸法となっている。シートダクト２１は、供給裏側溝１６Ａの両側の支持板１５に両鍔部１２ｆがそれぞれ嵌挿され、支持板１５の上に中間板１３が鍔部１２ｆを挟んで敷設されることで裏側層１２に取り付けられている。このようにシートダクト２１が取り付けられることで、シートダクト２１の長手方向の全体にわたって、シートダクト２１内を流れる温調空気ＳＡがシートダクト２１内から供給裏側溝１６Ａに導入されるようになっている。シートダクト２１は、本実施の形態では、樹脂製の矩形のシート状部材が丸められて形成されたダクト本体２１ｂに、断面コの字状の鋼材と断面Ｌ字状の鋼材との組で構成される取付ピース２１ｐがダクト本体２１ｂの対向する両辺のそれぞれを断面コの字状鋼材と断面Ｌ字状鋼材とで挟むように取り付けられて構成されているが、この他に例えば矩形の亜鉛鉄板の対向する両辺を断面コの字状に折り曲げ加工して鍔部１２ｆを形成することにより構成されていてもよい。
【００２１】
図４及び図２（ｂ）に示すように、各シートダクト２１は、温調空気チャンバ２５に接続されている。温調空気チャンバ２５は、シートダクト２１の軸に直交する方向に長く形成されており、床下空間ＳＰに配設されている。温調空気チャンバ２５は、シートダクト２１の一端に接続される温調空気チャンバ２５Ａと、シートダクト２１の他端に接続される温調空気チャンバ２５Ｂとを有しており、各温調空気チャンバ２５Ａ、２５Ｂを流れる温調空気ＳＡの流れ方向が逆になるように温調空気ＳＡが供給される。このように構成すると、複数配設されたシートダクト２１に対して温調空気ＳＡが到達する順序が、温調空気チャンバ２５Ａ側と温調空気チャンバ２５Ｂ側とで逆になり、各シートダクト２１に供給された温調空気ＳＡの静圧が各シートダクト２１によって不均一になることを低減することができる。
【００２２】
温調空気チャンバ２５へ供給される温調空気ＳＡは、温調空気生成機（不図示）で生成される。それゆえ、冷暖房システム１は、温調空気生成機（不図示）をも備えている。温調空気生成機（不図示）は、典型的にはパッケージ型空調機が用いられる。この場合、冷暖房システム１は、温調空気生成機（不図示）から各温調空気チャンバ２５Ａ、２５Ｂに温調空気ＳＡを導く分配ダクト（不図示）を有している。また、冷暖房システム１は、中間溝１４を流れて回収裏側溝１６Ｂから床下空間ＳＰに放出された温調空気ＳＡを冷暖房室Ｒに流入させる連通口１７（図２参照）が、仕上材１１及び裏側層１２を貫通して形成されている。連通口１７を介して温調空気ＳＡを冷暖房室Ｒ内に導入することにより、対流による冷暖房効果を享受することが可能になる。連通口１７は、典型的には、冷暖房室Ｒの隅部に２〜４箇所形成されている。連通口１７は、冷暖房室Ｒの床面において、物の落下を防ぐための格子（不図示）が設けられている。さらに、冷暖房室Ｒの壁面又は天井面には、冷暖房室Ｒに流入した温調空気ＳＡ分の空気を冷暖房室Ｒ外に導出する導出口（不図示）が形成されている。
【００２３】
次に図１〜図４を参照して、冷暖房システム１を構築する手順について説明する。コンクリートスラブ等の基礎床（本実施の形態ではスラブＳＬ）が形成されたら、温調空気チャンバ２５が設置される部分の上方を除き、支持脚１８を介して支持板１５を敷設する。支持板１５を敷設する際は、裏側溝１６が形成されるように敷設する。裏側溝１６は、供給裏側溝１６Ａと回収裏側溝１６Ｂとがそれぞれ複数形成される。上記支持板１５が敷設されたら、シートダクト２１及び温調空気チャンバ２５を設置する。シートダクト２１は、ダクト本体２１ｂがスラブＳＬと支持板１５との間に位置し、鍔部２１ｆが供給裏側溝１６Ａを通り支持板１５の上に現れるように設置する。シートダクト２１は、矩形のシート状の部材が筒状に丸められて形成されているので、両鍔部２１ｆが離間する方向に弾性力が作用して供給裏側溝１６Ａと同じ幅の隙間がシートダクト２１の上部に形成されつつ支持板１５に嵌合する。回収裏側溝１６Ｂには、シートダクト２１は取り付けられない。供給裏側溝１６Ａに嵌合された各シートダクト２１の両端部に温調空気チャンバ２５Ａ、２５Ｂをそれぞれ取り付けたら、必要に応じて温調空気生成機（不図示）に接続される分配ダクト（不図示）を設置した後に、残りの支持板１５を敷設する。温調空気生成機（不図示）は、別途適切な場所（例えば冷暖房室Ｒの隣室）に設置される。
【００２４】
支持板１５を敷設したら、その上に中間板１３を敷設する。中間板１３を敷設する際は、裏側溝１６と直交する方向に伸びる中間溝１４が形成されるように敷設する。これにより、中間溝１４と裏側溝１６とが交差する部分を介して両溝１４、１６間に温調空気ＳＡを流出入させることができる。中間溝１４の幅は、典型的には、内部を流れる温調空気ＳＡが仕上材１１との間に形成される境膜（流体が相対運動をしている場合に相境界に存在する、層流状態が保たれている極薄い領域）を破壊する風速で流れる中間溝１４の断面積となるように形成される。風速が所定値以下の温調空気ＳＡが仕上材１１に対して平行に流れると、一般に、仕上材１１と温調空気ＳＡの流れとの間に空気が滞留する境膜が生成される。境膜が存在すると表面熱伝達抵抗が大きくなって温調空気ＳＡが保有する冷熱又は温熱が効率よく仕上材１１に伝達されなくなるが、境膜を破壊することによって熱伝達率を向上させることができる。
【００２５】
また、中間板１３を敷設することにより、支持板１５間の供給裏側溝１６Ａに嵌合されていたシートダクト２１の鍔部２１ｆが中間板１３と支持板１５とに挟まれて固定される。このように、本実施の形態では、シートダクト２１を簡便に固定することができる。中間板１３が敷設されたら、その上に仕上材１１を敷き詰める。仕上材１１は、複数形成された各中間溝１４をすべて覆って隙間なく敷設される。このように敷設された仕上材１１の表面が冷暖房室Ｒの床仕上面となる。冷暖房室Ｒは、別途天井及び壁が構築されることにより冷暖房対象空間として区画される。
【００２６】
引き続き図１〜図４を参照して、冷暖房システム１の作用（運転状況）を説明する。温調空気生成機（不図示）では、冷暖房室Ｒを輻射冷暖房するのに適した温度（設定温度に依存するが、例えば、冷房時１８〜２３℃、暖房時３０〜３５℃）に調節された温調空気ＳＡが生成される。輻射冷暖房は、一般に、対流のみによる冷暖房（温度調節された空気を冷暖房室内に供給して行う冷暖房）に比べて、温度調節された空気の温度と外気温との差が小さくなるように設計されるため、温調空気ＳＡを生成するためのエネルギーが少なくて済む。温調空気生成機（不図示）で生成された温調空気ＳＡは、分配ダクト（不図示）を介して２つの温調空気チャンバ２５Ａ、２５Ｂに供給される。
【００２７】
両温調空気チャンバ２５Ａ、２５Ｂに供給された温調空気ＳＡは、接続されたシートダクト２１内に順次流入する。温調空気チャンバ２５Ａからシートダクト２１の一端に、及び温調空気チャンバ２５Ｂからシートダクト２１の他端にそれぞれ流入した温調空気ＳＡは、それぞれ反対側の端部に向かってシートダクト２１内を流れつつ、線状の供給裏側溝１６Ａにも順次流入する。シートダクト２１の両端からそれぞれ流入した温調空気ＳＡは、シートダクト２１内で出会うが（以下、温調空気ＳＡが出会う点を「出会点」という。）、シートダクト２１の端部から温調空気ＳＡの出会点までの距離は、複数配設されたシートダクト２１に対して温調空気ＳＡが到達する順序が温調空気チャンバ２５Ａ側と温調空気チャンバ２５Ｂ側とで逆になっており、各シートダクト２１により端部から静圧が等しい部分までの距離が異なるので、各シートダクト２１によって異なる。複数配設されたシートダクト２１に対して温調空気ＳＡが到達する順序が温調空気チャンバ２５Ａ側と温調空気チャンバ２５Ｂ側とで逆になっていることにより、冷暖房室Ｒ内における温度分布が一方に偏ってしまうことを低減することができる。
【００２８】
シートダクト２１から供給裏側溝１６Ａに流入した温調空気ＳＡは、複数形成された中間溝１４と交差する部分から、各中間溝１４に順次流入し、回収裏側溝１６Ｂに向かって流れる。中間溝１４が四方を仕上材１１と中間板１３と支持板１５とで囲まれていることと相俟って、温調空気ＳＡは、供給裏側溝１６Ａから回収裏側溝１６Ｂに向かって中間溝１４を流れる際、仕上材１１に接触しながら流れて仕上材１１に冷熱（冷房時）又は温熱（暖房時）を伝達する。このことにより、仕上材１１は冷やされ又は温められる。そして、冷やされ又は温められた仕上材１１から冷暖房室Ｒに冷熱又は温熱が輻射され、冷暖房室Ｒの冷房又は暖房が行われる。
【００２９】
中間溝１４を流れて回収裏側溝１６Ｂに到達した温調空気ＳＡは、仕上材１１と熱交換し、冷房時は温度が上昇して暖房時は温度が低下している。回収裏側溝１６Ｂに到達した温調空気ＳＡは、回収裏側溝１６Ｂを介して床下空間ＳＰに流入する。床下空間ＳＰに流入した温調空気ＳＡは、連通口１７を介して冷暖房室Ｒ内に流入し、冷暖房室Ｒ内を対流する。冷暖房室Ｒ内に流入した温調空気ＳＡは、仕上材１１の温度と同等あるいは冷房時は仕上材１１よりも低温で暖房時は仕上材１１よりも高温であるので、冷暖房室Ｒの冷暖房に寄与することとなる。冷暖房室Ｒに流入した温調空気ＳＡは、その後、温調空気生成機（不図示）に還されて温度が調節された後に再び温調空気チャンバ２５に供給され、あるいは外気に放出されて新たな空気が温調空気生成機（不図示）で温度調節された後に温調空気チャンバ２５に供給される。
【００３０】
以上で説明したように、冷暖房システム１は、温調空気ＳＡで仕上材１１を冷却又は加熱して輻射冷暖房を行うので、液体を熱媒体として用いて床面を温めるシステム（例えば温水床暖房）に起こりうる漏水等のトラブルが発生する心配がない。また、冷暖房システム１は、汎用の建材の配置を工夫することで中間溝１４及び裏側溝１６を形成しているので、仕上材１１を効果的に冷やし又は温めるために広範囲に温調空気ＳＡを供給する構成を、空気吹き出し部材を各所に設置する場合に比べて簡略化することができ、施工上の手間（工数）を低減でき、システム構築コストを削減することができる。
【００３１】
以上の説明では、冷却又は加熱される仕上材１１が冷暖房室Ｒの床面に設けられているとしたが、天井及び／又は壁も温調空気ＳＡによって冷却又は加熱できるように、床面に形成された仕上層及び裏側層１２と同様に中間溝１４等を含めて形成し、天井及び／又は壁からも冷熱又は温熱の輻射ができるように構成してもよい。
【００３２】
以上の説明では、裏側層１２が中間板１３と支持板１５とを適切に配置することにより中間溝１４を形成することとしたが、単層の板状部材の表面に溝を形成してこの溝を中間溝（仕上材１１を冷却又は加熱するための温調空気ＳＡを流す溝）としてもよい。また、中間溝１４が直線状の例を示したが、曲線状であってもよい。
【００３３】
以上の説明では、空気供給手段を構成する部材としてシートダクト２１を用いることとしたが、スパイラルダクトやグラスウールダクトや亜鉛鉄板の加工により形成されたダクト等の慣用されるダクトを用いてもよい。
【００３４】
以上の説明では、温調空気生成機（不図示）としてパッケージ型空調機が用いられることとしたが、これ以外に、例えば、いわゆるルームエアコンやエアハンドリングユニットが用いられることとしてもよい。ルームエアコンは、比較的小規模な建物及び／又は冷暖房室Ｒが少ない建物に適している。エアハンドリングユニットは、比較的大規模な建物及び／又は冷暖房室Ｒが多い建物に適している。ルームエアコンを用いる場合は、ルームエアコンから吹き出された空気を温調空気チャンバ２５に導くダクト及び静圧を付与するブースターファンを追加して設けることが好ましい。
【００３５】
以上の説明では、回収裏側溝１６Ｂから床下空間ＳＰに放出された温調空気ＳＡを、連通口１７を介して冷暖房室Ｒに流入させることとしたが、床下空間ＳＰから屋外に放出してもよく、あるいは床下空間ＳＰからダクトを介して温調空気生成機に還気してもよい。
【図面の簡単な説明】
【００３６】
【図１】本発明の実施の形態に係る冷暖房システムの構成を説明する部分斜視図である。
【図２】冷暖房室の平面図である。（ａ）は本発明の実施の形態に係る冷暖房システムを構成する中間板の概略配列を示す図、（ｂ）は同支持板の概略配列を示す図である。
【図３】本発明の実施の形態に係る冷暖房システムを構成するダクト回りを説明する図である。（ａ）はダクトの収まりを示す図、（ｂ）はダクトの部分斜視図である。
【図４】本発明の実施の形態に係る冷暖房システムを構成するダクト及びチャンバの位置関係を説明する部分斜視図である。
【符号の説明】
【００３７】
１    冷暖房システム
１１  仕上材
１２  裏側層
１３  中間板
１４  中間溝
１５  支持板
２１  シートダクト
１６Ａ  供給裏側溝
Ｒ    冷暖房室
ＳＡ  温調空気
【図１】
2010107117.tif 000003
【図２】
2010107117.tif 000004
【図３】
2010107117.tif 000005
【図４】
2010107117.tif 000006